(57)【要約】【課題】効率良くゴミを除去することができる送風装置を提供する。【解決手段】送風装置１０１は、水平面内に規定される第１方向９１に沿った中心軸６を有して開口する空気通過口としての取入れ口３を有する本体１と、少なくとも前記空気通過口を覆いつつ、上下方向に一定幅を有し、水平面内に規定されかつ第１方向９１に垂直な第２方向９２に、前記空気通過口の第２方向９２に沿った幅より長く延在するフィルタ７と、フィルタ７を第２方向９２に移動させる駆動部８ａ，８ｂと、長手形状を有し、フィルタ７の面に付着したゴミを擦り取るようにフィルタ７の面に当接しつつフィルタ７の面に沿って配置され、フィルタ７の面に垂直な方向から見たときに上下方向に対して傾斜した姿勢で延在するフィルタ清掃具１０ａ，１０ｂとを備える。【選択図】図２
2018051530.tif 000002
【特許請求の範囲】
【請求項１】
水平面内に規定される第１方向に沿った中心軸を有して開口する空気通過口を有する本体と、
少なくとも前記空気通過口を覆いつつ、上下方向に一定幅を有し、水平面内に規定されかつ前記第１方向に垂直な第２方向に、前記空気通過口の前記第２方向に沿った幅より長く延在するフィルタと、
前記フィルタを前記第２方向に移動させる駆動部と、
長手形状を有し、前記フィルタの面に付着したゴミを擦り取るように前記フィルタの面に当接しつつ前記フィルタの面に沿って配置され、前記フィルタの面に垂直な方向から見たときに上下方向に対して傾斜した姿勢で延在するフィルタ清掃具とを備える、送風装置。
【請求項２】
前記駆動部は、前記フィルタを前記第２方向のうち一方の側である第１の側に向かって移動させることができ、前記フィルタ清掃具は上端に比べて下端が前記第１の側寄りに位置するように配置されている、請求項１に記載の送風装置。
【請求項３】
前記駆動部は、前記フィルタを前記第１の側とは逆の第２の側に向かって移動させることができ、前記送風装置は、前記フィルタを前記第２の側に向かって移動させるときは前記フィルタ清掃具を前記フィルタの面から離隔させる切替部を備える、請求項２に記載の送風装置。
【請求項４】
前記フィルタ清掃具の下方に前記フィルタまたは前記フィルタ清掃具から落下するゴミを受けるためのゴミ受け部を備える、請求項１から３のいずれかに記載の送風装置。
【請求項５】
前記ゴミ受け部は、外へ引き出すことができるように保持されている、請求項４に記載の送風装置。
【請求項６】
前記フィルタ清掃具はブラシを含む、請求項１から５のいずれかに記載の送風装置。
【請求項７】
前記空気通過口は、前記本体の正面に設けられた取入れ口である、請求項１から６のいずれかに記載の送風装置。
【請求項８】
空気清浄機である、請求項１から７のいずれかに記載の送風装置。
【発明の詳細な説明】
【技術分野】
【０００１】
本発明は、送風装置に関するものである。
【背景技術】
【０００２】
送風装置としては、空気清浄機、空気調和機などが挙げられる。空気清浄機の一例が特開２０１６−２２４０５号公報（特許文献１）に記載されている。
【先行技術文献】
【特許文献】
【０００３】
【特許文献１】特開２０１６−２２４０５号公報
【発明の概要】
【発明が解決しようとする課題】
【０００４】
空気清浄機などの送風装置は、通常、吸込み口を備える。吸込み口にはフィルタ群が設置される。一般的に、空気清浄機などにおいては、フィルタ群は、比較的大きなゴミを除去するプレフィルタ、微粒子を除去するＨＥＰＡフィルタ、臭気を低減するニオイフィルタなどを備える。プレフィルタに蓄積したゴミは人の手や掃除機で除去することが一般的である。
【０００５】
そこで、本発明は、フィルタに付着したゴミを効率良く除去することができる送風装置を提供することを目的とする。
【課題を解決するための手段】
【０００６】
上記目的を達成するため、本発明に基づく送風装置は、水平面内に規定される第１方向に沿った中心軸を有して開口する空気通過口を有する本体と、少なくとも上記空気通過口を覆いつつ、上下方向に一定幅を有し、水平面内に規定されかつ上記第１方向に垂直な第２方向に、上記空気通過口の上記第２方向に沿った幅より長く延在するフィルタと、上記フィルタを上記第２方向に移動させる駆動部と、長手形状を有し、上記フィルタの面に付着したゴミを擦り取るように上記フィルタの面に当接しつつ上記フィルタの面に沿って配置され、上記フィルタの面に垂直な方向から見たときに上下方向に対して傾斜した姿勢で延在するフィルタ清掃具とを備える。
【発明の効果】
【０００７】
本発明によれば、効率良くゴミを除去することができる。
【図面の簡単な説明】
【０００８】
【図１】本発明に基づく実施の形態１における送風装置の斜視図である。
【図２】本発明に基づく実施の形態１における送風装置の模式的な断面図である。
【図３】本発明に基づく実施の形態１における送風装置の分解図である。
【図４】本発明に基づく実施の形態１における送風装置のフィルタとフィルタ清掃具との関係の模式図である。
【図５】本発明に基づく実施の形態２における送風装置の模式図である。
【図６】本発明に基づく実施の形態２における送風装置のフィルタに付着していたゴミがフィルタ清掃具の擦過によって落とされる様子の説明図である。
【図７】本発明に基づく実施の形態２における送風装置のゴミ受け部を引き出した状態の斜視図である。
【図８】本発明に基づく実施の形態３における送風装置の第１の状態の模式的な断面図である。
【図９】本発明に基づく実施の形態３における送風装置の第２の状態の模式的な断面図である。
【図１０】フィルタと駆動部とフィルタ清掃具と取入れ口との位置関係の第１の例の説明図である。
【図１１】フィルタと駆動部とフィルタ清掃具と取入れ口との位置関係の第２の例の説明図である。
【図１２】フィルタと駆動部とフィルタ清掃具と取入れ口との位置関係の第３の例の説明図である。
【図１３】フィルタと駆動部とフィルタ清掃具と取入れ口との位置関係の第４の例の説明図である。
【図１４】フィルタと駆動部とフィルタ清掃具と取入れ口との位置関係の第５の例の説明図である。
【図１５】フィルタと駆動部とフィルタ清掃具と取入れ口との位置関係の第６の例の説明図である。
【発明を実施するための形態】
【０００９】
（実施の形態１）
（構成）
図１〜図４を参照して、本発明に基づく実施の形態１における送風装置について説明する。本実施の形態における送風装置１０１の外観を図１に示す。送風装置１０１は、本体１と、本体１の正面側に取り付けられた前板２とを備える。本体１と前板２との間には間隙５が設けられている。本体１の正面側の左右両端部近傍には吹出口４が設けられている。図１に示した例では、送風装置１０１は、壁に掛けて使用する方式のものとしているが、これはあくまで一例であり、床に置いて使用する方式のものであってもよい。送風装置は、床に置いて使用するものである場合には、送風装置は下部に脚、車輪などを備えていてもよい。送風装置１０１の模式的な断面図を図２に示す。図２は断面を上から見たところである。
【００１０】
図２に矢印８１で示されるように、間隙５を通って前板２の裏側に入り込んだ空気は、本体１の内部で必要に応じて処理され、矢印８２で示されるように左右に分かれて進行し、矢印８３に示されるように、吹出口４を通って本体１から出ていく。
【００１１】
本体１は正面側に取入れ口３を有する。取入れ口３を覆うように、前板２の裏側にはフィルタ７が設置されている。フィルタ７は、駆動部８ａ，８ｂによって支持されている。駆動部８ａ，８ｂはフィルタ７を第２方向９２に送ることができる。駆動部８ａ，８ｂが駆動したときには、フィルタ７は図２における左右方向のいずれかに送られる。
【００１２】
前板２の裏側にはフィルタ清掃具１０ａ，１０ｂが設置されている。前板２は、前板支持部１２ａ，１２ｂを介して本体１に接続されている。前板２は、前板支持部１２ａ，１２ｂによって支持されている。
【００１３】
送風装置１０１の分解図を図３に示す。前板２と本体１との間にフィルタ７が配置されていることがわかる。前板２の裏側にはフィルタ清掃具１０ａ，１０ｂが配置されている。フィルタ清掃具１０ａ，１０ｂは、互いに平行ではなく、上側において間隔が狭く、下側において間隔が広くなるように傾いた姿勢で配置されている。
【００１４】
送風装置１０１におけるフィルタ７とフィルタ清掃具１０ａ，１０ｂとの関係を、図４に模式的に示す。
【００１５】
送風装置１０１は、水平面内に規定される第１方向９１に沿った中心軸６を有して開口する空気通過口としての取入れ口３を有する本体１と、少なくとも前記空気通過口を覆いつつ、上下方向に一定幅を有し、水平面内に規定されかつ第１方向９１に垂直な第２方向９２に、前記空気通過口の第２方向９２に沿った幅より長く延在するフィルタ７と、フィルタ７を第２方向９２に移動させる駆動部８ａ，８ｂと、長手形状を有し、フィルタ７の面に付着したゴミを擦り取るようにフィルタ７の面に当接しつつフィルタ７の面に沿って配置され、フィルタ７の面に垂直な方向から見たときに上下方向に対して傾斜した姿勢で延在するフィルタ清掃具１０ａ，１０ｂとを備える。
【００１６】
（作用・効果）
本実施の形態における送風装置１０１では、十分長く延在するフィルタ７を備え、駆動部８ａ，８ｂによってこのフィルタ７を第２方向９２に移動させることができる。フィルタ７を第２方向９２に移動させることにより、フィルタ清掃具１０ａ，１０ｂがフィルタ７の面を相対的に擦過することができる。フィルタ清掃具１０ａ，１０ｂは、フィルタ７の面に当接しつつフィルタ７の面に垂直な方向から見たときに上下方向に対して傾斜した姿勢で延在しているので、ゴミを落としながら擦過することができる。こうして、フィルタ７に付着したゴミを効率良く除去することができる。
【００１７】
駆動部８ａ，８ｂは、フィルタ７を第２方向９２のうち一方の側である第１の側に向かって移動させることができ、フィルタ清掃具は上端に比べて下端が前記第１の側寄りに位置するように配置されていることが好ましい。この構成を採用することにより、フィルタ清掃具の上部でフィルタから離れたゴミがフィルタ清掃具の下部に引っ掛かることをなるべく避けることができる。
【００１８】
図４に示した構成で説明すれば、「第２方向９２のうち一方の側である第１の側」とは、たとえば右側である。フィルタ７を右側に向かって移動させることができ、フィルタ清掃具１０ｂは、上端に比べて下端が右側寄りに位置するように配置されている。１台の送風装置に複数のフィルタ清掃具が備わっている場合には、少なくとも１つのフィルタ清掃具においてこの条件が満たされていればよい。
【００１９】
「第２方向９２のうち一方の側である第１の側」が左側であると仮定した場合には、フィルタ７を左側に向かって移動させることができるかどうかが問題となる。そして、上端に比べて下端が左側寄りに位置するように配置されているフィルタ清掃具があるかどうかが問題となる。図４に示した構成では、フィルタ７は左側に向かって移動させることはできるし、フィルタ清掃具１０ａは上述の条件を満たしている。
【００２０】
フィルタ清掃具１０ａ，１０ｂはブラシを含むことが好ましい。この構成を採用することにより、簡単な構造でフィルタの清掃に適した構造を実現することができる。複数のフィルタ清掃具がある場合には、複数のフィルタ清掃具のうち少なくとも１つのフィルタ清掃具がブラシを含んでいるだけであってもよい。複数のフィルタ清掃具は互いに異なる構造の清掃具の組合せであってもよい。
【００２１】
空気通過口は、本体１の正面に設けられた取入れ口３であることが好ましい。この構成を採用することにより、外部の空気が本体１に入る前に当該空気に混入するゴミをフィルタで濾し取ることができ、このゴミをフィルタ清掃具によってフィルタから除去することができる。ここでは、空気通過口が取入れ口である例をもとに説明してきたが、空気通過口は取入れ口以外であってもよい。たとえば空気通過口が吹出口であってもよい。
【００２２】
（実施の形態２）
（構成）
図５〜図６を参照して、本発明に基づく実施の形態２における送風装置について説明する。本実施の形態における送風装置１０２の模式的な構成を図５に示す。
【００２３】
送風装置１０２は、実施の形態１で示した送風装置１０１に比べて、基本的な構成は同様であるが、以下の点で異なる。
【００２４】
送風装置１０２は、フィルタ清掃具１０ａ，１０ｂの下方にフィルタ７またはフィルタ清掃具１０ａ，１０ｂから落下するゴミを受けるためのゴミ受け部１１ａ，１１ｂを備える。この構成を採用することにより、ゴミ受け部１１ａ，１１ｂによってゴミを効率良く回収することができる。ここでは、左右両側のフィルタ清掃具１０ａ，１０ｂおよびゴミ受け部１１ａ，１１ｂについて言及したが、必ずしも左右両側とも上述の条件が満たされている必要はない。上述の条件は左右の少なくとも一方において成り立っていればよい。
【００２５】
フィルタに付着していたゴミがフィルタ清掃具の擦過によって落とされる様子の一例を図６に示す。図６では、説明の便宜のためにゴミ１５を誇張して実際の寸法比より大きく表示している。フィルタ７に付着しているゴミ１５は、フィルタ７が送られることによって移動する。これにより、ゴミ１５の少なくとも一部はフィルタ清掃具１０ｂと接触し、フィルタ７から外れて落下する。
【００２６】
送風装置１０２において、駆動部８ｂは、フィルタ７を第２方向９２のうち一方の側である第１の側９３に向かって移動させることができ、フィルタ清掃具１０ｂは上端に比べて下端が第１の側９３寄りに位置するように配置されている。送風装置１０２は、この状態で、フィルタ清掃具１０ｂの下方にフィルタ７またはフィルタ清掃具１０ｂから落下するゴミ１５を受けるためのゴミ受け部１１ｂを備える。フィルタ清掃具１０ｂは傾斜するように配置されているので、フィルタ清掃具１０ｂの上部によってフィルタ７から外れて落下したゴミ１５がフィルタ清掃具１０ｂの下部にひっかかるおそれをなるべく回避することができる。
【００２７】
ゴミ受け部は、外へ引き出すことができるように保持されていることが好ましい。この構成を採用することにより、ゴミ受け部にたまったゴミを容易に排出することができる。たとえば図７に示すように、ゴミ受け部１１ａは、外へ引き出すことができるように保持されていればよい。
【００２８】
（実施の形態３）
（構成）
図８〜図９を参照して、本発明に基づく実施の形態３における送風装置について説明する。本実施の形態における送風装置１０３の模式的な構成を図８に示す。
【００２９】
送風装置１０３は、実施の形態１で示した送風装置１０１に比べて、基本的な構成は同様であるが、以下の点で異なる。
【００３０】
駆動部８ａ，８ｂは、フィルタ７を第１の側９３に向かって移動させることができる。このときの様子を図８に示す。フィルタ清掃具１０ｂがフィルタ７に当接しており、フィルタ清掃具１０ａはフィルタから離隔している。
【００３１】
フィルタ７を逆に第２の側９４に向かって移動させる場合の様子を図９に示す。切替部１３ａ，１３ｂの働きによって前板２の姿勢が変化しており、これに伴い、フィルタ清掃具１０ａ，１０ｂの姿勢も変化している。フィルタ清掃具１０ａがフィルタ７に当接しており、フィルタ清掃具１０ｂはフィルタから離隔している。
【００３２】
送風装置１０３においては、駆動部８ａ，８ｂは、フィルタ７を第１の側９３とは逆の第２の側９４に向かって移動させることができる。送風装置１０３は、フィルタ７を第２の側９４に向かって移動させるときはフィルタ清掃具１０ｂをフィルタ７の面から離隔させる切替部１３ａ，１３ｂを備える。
【００３３】
切替部１３ａ，１３ｂは、前板支持部１２ａ，１２ｂの役割を兼ねていてもよい。
（作用・効果）
本実施の形態では、フィルタ７が移動する向きに応じて、フィルタ７に当接させておくのが不適切な傾斜姿勢で保持されているフィルタ清掃具をフィルタ７の面から離隔させておくことができる。特に複数のフィルタ清掃具が設けられているときには、フィルタ７が移動する向きに応じて、フィルタ７の面に当接させておくことが相応しいフィルタ清掃具のみを選択的にフィルタ７の面に当接させておき、そうでないフィルタ清掃具をフィルタ７の面から離隔させておくことができるので、好都合である。
【００３４】
送風装置１０１〜１０３のいずれにおいてもいえることであるが、送風装置は、空気清浄機であることが好ましい。空気清浄機として使用を続けると空気通過口のフィルタにゴミが溜まる可能性が高いが、これまでに説明したいずれかの実施の形態により、フィルタから効率良くゴミを除去することができ、空気清浄機として良好な状態での使用を続けることができる。
【００３５】
ここまでの実施の形態で示した送風装置においては、フィルタ７と、駆動部８ａ，８ｂと、フィルタ清掃具１０ａ，１０ｂと取入れ口３との位置関係を示すと図１０のようになる。取入れ口３を挟むようにフィルタ清掃具１０ａ，１０ｂが対称形に配置されている。フィルタ７は、エンドレスではないので、駆動部８ａ，８ｂによって一定の向きに一定の長さだけ移動し終えたら次は逆向きに移動する必要がある。これはあくまで一例である。ここからは、いくつかの変形例を示す。
【００３６】
たとえば図１１に示すように、取入れ口３の一方の側にのみフィルタ清掃具が設けられた構成であってもよい。図１１に示した例では、フィルタ清掃具１０ｂのみが設けられている。
【００３７】
たとえば図１２に示すように、取入れ口３の一方の側に複数のフィルタ清掃具が配置された構成であってもよい。ここでは、取入れ口３の一方の側にフィルタ清掃具１０ａ，１０ｂが同じ側に傾斜した姿勢で並んで配置されている。すなわち、取入れ口３の一方の側にフィルタ清掃具１０ａ，１０ｂが平行に並んで配置されている。
【００３８】
あるいは、フィルタ清掃具１０ａ，１０ｂは同じ側に傾斜した姿勢で、取入れ口３を挟むように配置されていてもよい。すなわち、フィルタ清掃具１０ａ，１０ｂが取入れ口３を挟んで平行に並んで配置されていてもよい。
【００３９】
たとえば図１３に示すように、送風装置は、エンドレスのフィルタ７ｉを備えてもよい。ここで示す例では、フィルタ清掃具１０ｂのみが配置されているが、エンドレスのフィルタ７ｉに沿って複数のフィルタ清掃具を備えてもよい。取入れ口３を挟むように複数のフィルタ清掃具が配置されてもよく、取入れ口３の一方の側に複数のフィルタ清掃具が配置されてもよい。
【００４０】
たとえば図１４に示すように、エンドレスのフィルタ７ｊを備えてもよい。駆動部８ａ，８ｂに加えて後方に２本の補助ローラ９が配置されている。フィルタ７ｊは、上から見たときにほぼ長方形となる軌跡に沿って送られる。
【００４１】
たとえば図１５に示すように、フィルタ７ｋを備えてもよい。この例では、駆動部８ａ，８が後方に配置され、前方には２本の補助ローラ１４が配置されている。フィルタ７ｊは、上から見たときに長方形の４辺のうちの３辺に相当する形状の軌跡に沿って送られる。フィルタ清掃具１０ｂが側面においてフィルタ７ｋに当接するように配置されている。図１５では見えていないが、反対側の側面にフィルタ清掃具１０ａが同様に配置されていてもよい。
【００４２】
なお、上記実施の形態のうち複数を適宜組み合わせて採用してもよい。
なお、今回開示した上記実施の形態はすべての点で例示であって制限的なものではない。本発明の範囲は特許請求の範囲によって示され、特許請求の範囲と均等の意味および範囲内でのすべての変更を含むものである。
【符号の説明】
【００４３】
１  本体、２  前板、３  取入れ口、４  吹出口、５  間隙、６  中心軸、７，７ｉ，７ｊ，７ｋ  フィルタ、８ａ，８ｂ  駆動部、９，１４  補助ローラ、１０ａ，１０ｂ  フィルタ清掃具、１１ａ，１１ｂ  ゴミ受け部、１２ａ，１２ｂ  前板支持部、１３ａ，１３ｂ  切替部、１５  ゴミ、８１，８２，８３  （空気の流れを表す）矢印、９１  第１方向、９２  第２方向、９３  第１の側、９４  第２の側、１０１，１０２，１０３  送風装置。
【図１】
2018051530.tif 000003
【図２】
2018051530.tif 000004
【図３】
2018051530.tif 000005
【図４】
2018051530.tif 000006
【図５】
2018051530.tif 000007
【図６】
2018051530.tif 000008
【図７】
2018051530.tif 000009
【図８】
2018051530.tif 000010
【図９】
2018051530.tif 000011
【図１０】
2018051530.tif 000012
【図１１】
2018051530.tif 000013
【図１２】
2018051530.tif 000014
【図１３】
2018051530.tif 000015
【図１４】
2018051530.tif 000016
【図１５】
2018051530.tif 000017